(57)【特許請求の範囲】
【請求項１】
テレビ放送を受信して録画する放送録画装置において、
毎週同じ曜日、時間帯及びチャンネルで録画するように録画予約されている番組がある場合、
電子番組表を取得し、
該電子番組表の中から、予約されている前記番組の番組名及びチャンネルに一致する番組を検索し、
検索した結果、前記一致する番組が、録画予約されているのと同じ曜日で異なる時間帯に見つかった場合、前記一致する番組が見つかった週に限り、録画予約の時間帯を前記一致する番組の時間帯に変更し、
検索した結果、前記一致する番組が、録画予約されているのと異なる曜日に見つかった場合、前記一致する番組が見つかった週とそれ以降は、録画予約の曜日及び時間帯を前記一致する番組の曜日及び時間帯に変更することを特徴とする放送録画装置。
【請求項２】
前記電子番組表は、少なくとも１日１回は取得し、前記電子番組表を取得する度に前記検索を行うことを特徴とする請求項１記載の放送録画装置。
【請求項３】
前記電子番組表の中から、予約されている前記番組の番組名に類似した番組名の番組を検索し、
検索した結果、前記類似した番組名の番組が見つかった場合、該見つかった番組を録画予約することを特徴とする請求項１又は２記載の放送録画装置。
【請求項４】
前記電子番組表の中から、予約されている前記番組の番組名に類似した番組名の番組を検索するか否かは、予め設定可能であることを特徴とする請求項３記載の放送録画装置。
【請求項５】
前記類似した番組名の番組とは、予約されている前記番組の、再放送番組、特別番組、特別番組の再放送番組、前編／続編番組、前編／続編番組の再放送番組の何れかであることを特徴とする請求項３又は４記載の放送録画装置。
【発明の詳細な説明】
【技術分野】
【０００１】
本発明は、テレビ放送を受信して録画する放送録画装置に関する。
【背景技術】
【０００２】
テレビ放送の番組を録画する放送録画装置には、従来から、ユーザが設定した予約にしたがって自動的に録画する録画予約の機能がある。録画予約に際してユーザは、所望する日時及びチャンネルを直接入力したり、電子番組表（ＥＰＧ）上で番組を選択したりして予約する。また、ユーザがキーワードなどの条件を設定するだけで、装置がその条件に合致する番組を自動的に検索して録画するものもある。
【０００３】
さらに、野球中継の延長や臨時ニュースがあった場合などにより、録画予約されている番組の開始が予定の時刻から遅れる場合がある。このような場合に、最新のＥＰＧを取得して番組の放送時刻の変更を検出し、録画予約の時間を変更する装置もある。この他にも、録画予約に関して様々な技術が提案されている。
【０００４】
例えば、特許文献１には、各番組の番組名、チャンネル、放送開始日時、放送終了日時を番組データとして入力する番組データ入力手段と、番組データを保持する番組データ保持手段と、ユーザからの入力により番組データの中の番組を指定し予約録画する録画予約番組指定手段と、指定された録画予約番組を録画予約登録する録画予約データ保持手段とを有する録画予約装置が開示されている。
【０００５】
また特許文献２には、ユーザによって録画番組が指定されたときに、録画指定番組と番組名が一致する番組を検索する手段、録画指定番組と番組名が一致する番組が１つだけ検索された場合には、その番組を関連番組として表示させる手段、録画指定番組と番組名が一致する番組が複数検索された場合には、検索された番組のうちから、サブタイトル名に基づいて番組関連番組を絞り込んで表示させる手段、ならびに録画指定番組と番組名が一致する番組が検索されなかった場合には、録画指定番組の番組名の一部を番組名に含む番組を検索し、検索した番組を関連番組として表示させる手段、を備えているデジタルテレビ放送受信機が開示されている。
【０００６】
また特許文献３には、予約情報に従って放送番組の映像または音声の少なくとも一方を記録する記録装置において、前記放送番組の番組情報を取得する取得手段と、前記予約情報に含まれる番組名と前記取得手段によって取得された前記番組情報に記載されている番組名との類似度を算出する算出手段と、前記類似度に基づいて特定した放送番組の前記番組情報を用いて前記予約情報を変更するとともに、前記予約情報に含まれる番組識別情報に対応する放送番組の番組情報にも基づいて前記予約情報を変更する変更手段と、前記予約情報に従って放送番組の映像または音声の少なくとも一方を記録させる記録制御手段とを含む記録装置が開示されている。
【０００７】
また特許文献４には、検索条件に合致するコンテンツを検索する情報処理装置において、ユーザの操作に基づいて設定されたコンテンツの記録予約の内容を示す指定記録予約情報を管理する管理手段と、検索対象となる複数のコンテンツにそれぞれ対応する複数の属性情報を取得する取得手段と、前記指定記録予約情報から前記コンテンツの名称を取得するとともに、前記属性情報からコンテンツの名称を取得し、前記指定記録予約情報から取得した前記名称と、前記属性情報から取得した前記名称との類似度を演算する類似度演算手段と、前記指定記録予約情報から前記コンテンツの名称を取得し、取得した前記名称に基づいて閾値を算出する閾値算出手段と、前記類似度と前記閾値とを比較した結果に基づき、前記指定記録予約情報に対応するコンテンツとに関連するコンテンツを検出する検出手段とを含む情報処理装置が開示されている。
【先行技術文献】
【特許文献】
【０００８】
【特許文献１】特開平１１−８６３７７号公報
【特許文献２】特開２００２−１９９２９４号公報
【特許文献３】特開２００７−７４４９４号公報
【特許文献４】特開２００８−６７３３２号公報
【発明の概要】
【発明が解決しようとする課題】
【０００９】
上記の特許文献１〜４のように、録画に関して様々な技術が提案されているが、どんな状況にでも対処できるわけではないので、さらなる使い勝手の向上を目指して改良する余地がある。
【００１０】
本発明は、録画予約後に番組編成が変わった場合でも自動的に追随して録画することでユーザの負担を軽減する放送録画装置を提供することを目的とする。
【課題を解決するための手段】
【００１１】
上記目的を達成するために本発明は、テレビ放送を受信して録画する放送録画装置において、毎週同じ曜日、時間帯及びチャンネルで録画するように録画予約されている番組がある場合、電子番組表を取得し、該電子番組表の中から、予約されている前記番組の番組名及びチャンネルに一致する番組を検索し、検索した結果、前記一致する番組が、録画予約されているのと同じ曜日で異なる時間帯に見つかった場合、前記一致する番組が見つかった週に限り、録画予約の時間帯を前記一致する番組の時間帯に変更し、検索した結果、前記一致する番組が、録画予約されているのと異なる曜日に見つかった場合、前記一致する番組が見つかった週とそれ以降は、録画予約の曜日及び時間帯を前記一致する番組の曜日及び時間帯に変更することを特徴とする。
【００１２】
この構成によれば、第１に、毎週の録画予約がされている番組の開始が予定の時刻と違っていても、変更に追随して録画することができ、第２に、毎週の録画予約がされている番組の曜日又は曜日及び時間帯が予定と違っていても、変更に追随して録画することができる。
【００１３】
上記の放送録画装置において、録画予約の追随の精度を上げる観点から、前記電子番組表は、少なくとも１日１回は取得し、前記電子番組表を取得する度に前記検索を行うことが望ましい。
【００１４】
また上記の放送録画装置において、前記電子番組表の中から、予約されている前記番組の番組名に類似した番組名の番組を検索し、検索した結果、前記類似した番組名の番組が見つかった場合、該見つかった番組を録画予約するようにしてもよい。
【００１５】
この構成によれば、録画予約した番組に関連する番組を自動的に録画することができる。
【００１６】
上記の放送録画装置において、前記電子番組表の中から、予約されている前記番組の番組名に類似した番組名の番組を検索するか否かは、予め設定可能であることが望ましい。これにより、ユーザが望む場合にだけ、録画予約に関連した番組を自動的に録画することができる。
【００１７】
また上記の放送録画装置において、前記類似した番組名の番組とは、例えば、予約されている前記番組の、再放送番組、特別番組、特別番組の再放送番組、前編／続編番組、前編／続編番組の再放送番組の何れかとすることができる。
【発明の効果】
【００１８】
本発明によると、録画予約後に番組編成が変わった場合でも自動的に追随して録画するのでユーザの負担を軽減することができる。
【００１９】
さらに、録画予約した番組に関連する番組を自動的に録画するようにもできるので、ユーザの負担をさらに軽減することもできる。
【図面の簡単な説明】
【００２０】
【図１】本発明のＨＤＤ一体型光ディスク装置の構成及びその周辺機器を示すブロック図である。
【図２】本発明のＨＤＤ一体型光ディスク装置の録画予約後の動作に関するフローチャートである。
【発明を実施するための形態】
【００２１】
以下、放送録画装置の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１が接続されている。またＨＤＤ一体型光ディスク装置１０は、リモコン１３によって操作可能である。以下では、光ディスクとしてＢＤ（Blu-ray Disc）を例に説明する。
【００２２】
ＨＤＤ一体型光ディスク装置１０は、アンテナ１５で受信したテレビ放送信号を復調、デジタル化するチューナ１６と、チューナ１６から受け取った画像音声データをＭＰＥＧ２等に準拠して圧縮符号化したり、ＨＤＤ記録再生部１８又はＢＤ／ＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＢＤに記録したり、ＢＤに記録されたデータを再生したりするＢＤ／ＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、ＨＤＤ一体型光ディスク装置１０の各部を制御する制御部２６とを備えている。
【００２３】
また、制御部２６は、ユーザが設定した予約にしたがって自動的に録画する録画予約に関する制御も行う。録画予約は、例えば、予約画面においてリモコン１３が操作されて所望の日時及びチャンネルが指定されることでなされる。
【００２４】
また例えば、録画予約は、ＥＰＧ画面において所望の番組が選択されることでなされる。具体的にＥＰＧ画面からの予約時には、所望の番組が選択されると、１回限りの録画予約か、毎週同じ曜日、時間帯及びチャンネルで録画する録画予約かの選択を促し、さらに条件予約の項目も選択可能とする。条件予約とは、録画予約した番組の番組名を登録しておき、その番組名に類似した番組名の番組も自動的に録画するという機能である。
【００２５】
ここでいう類似した番組名の番組とは、番組名が一部違う場合であり、例えば、予約された番組の、再放送番組、特別番組、特別番組の再放送番組、前編／続編番組、前編／続編番組の再放送番組の何れかとすることができる。再放送であれば、番組名の前か後ろに「再」と記されていたり、特別番組であれば、番組名に「スペシャル」などが入っていたり、前編／続編であれば、番組名に「vol.」や「season」や「続」や「新」などが入っていたりするので、それらの語と予約された番組名の一部との組み合わせの番組名であれば、類似した番組名であると判別できる。
【００２６】
なお、番組名が類似しているかどうかの判断手法には特に限定はなく、単純に番組名のうち連続した所定の単語が一致するか否かで判断するようにしてもよい。
【００２７】
上記の条件予約が設定された場合、制御部２６は、テレビ放送信号から取り出されたＥＰＧを取得したときに、ＥＰＧの中から、予約されている番組の番組名に類似した番組名の番組を検索し、検索した結果、類似した番組名の番組が見つかった場合、自動的にその番組を録画予約する。
【００２８】
また、制御部２６は、ＥＰＧを取得したときに、毎週同じ曜日、時間帯及びチャンネルで録画するように録画予約されている番組がある場合、つまり録画予約の際に毎週と設定された録画予約がある場合、ＥＰＧと録画予約の内容とを比較して番組編成が変わった場合に自動的に追随して録画することも行う。
【００２９】
具体的には、ＥＰＧの中から、予約されている番組の番組名及びチャンネルに一致する番組を検索し、検索した結果、一致する番組が、録画予約されているのと同じ曜日で異なる時間帯に見つかった場合、一致する番組が見つかった週に限り、録画予約の時間帯を一致する番組の時間帯に変更する。
【００３０】
一方、検索した結果、一致する番組が、録画予約されているのと異なる曜日に見つかった場合、一致する番組が見つかった週とそれ以降は、録画予約の曜日及び時間帯を一致する番組の曜日及び時間帯に変更する。
【００３１】
なお、ＥＰＧは、少なくとも１日１回は取得し、ＥＰＧを取得する度に上記の検索を行うことが望ましい。録画予約の追随の精度をさらに上げるためには、ＥＰＧの取得回数を増やしたり、録画予約の録画開始数分前には必ず最新のＥＰＧを取得したりして、上記の検索を行えばよい。ＥＰＧをいつどのような頻度で取得するかは、ユーザが設定できるようにしてもよい。
【００３２】
以下、ＨＤＤ一体型光ディスク装置１０の録画予約の機能について詳しく説明する。図２は、ＨＤＤ一体型光ディスク装置１０の録画予約後の動作に関するフローチャートである。
【００３３】
まず、ユーザによってリモコン１３が操作され、毎週同じ曜日、時間帯及びチャンネルで録画する録画予約が設定された場合、換言すれば、毎週同じ曜日、時間帯及びチャンネルで録画するように録画予約されている番組がある場合、制御部２６は、ステップＳ１０においてＥＰＧを取得すると、ステップＳ１１へ進んでＥＰＧの中から、予約されている上記番組の番組名及びチャンネルに一致する番組を検索する。例えばここでは、毎週月曜日、２１：００−２２：００の時間帯、地上デジタル放送の２チャンネル、「A vol.2」という番組名の番組が録画予約されているものとする。
【００３４】
ステップＳ１２へ進んで、検索した結果、一致する番組が見つかったか否かを判別する。一致する番組が見つかった場合は、ステップＳ１３へ進んで、その録画予約されているのと同じ曜日か否かを判別する。ステップＳ１３において同じ曜日である場合は、ステップＳ１４へ進んで、その録画予約されているのと異なる時間帯か否かを判別する。ステップＳ１４において同じ時間帯であれば、録画予約されている内容のままであるので、ステップＳ１５へ進んで録画予約の内容は変更しない。
【００３５】
一方、ステップＳ１４において異なる時間帯であれば、ステップＳ１６へ進んで、一致する番組が見つかった週に限り、録画予約の時間帯を一致する番組の時間帯に変更する。
【００３６】
例えば、ＥＰＧの地上デジタル放送の２チャンネルの欄において、今日（月曜日）の２１：３０−２２：３０の時間帯に「A vol.2」という番組名の番組が見つかった場合、ステップＳ１６において今日だけ録画予約の時間帯を２１：３０−２２：３０に変更する。これにより、野球中継の延長や臨時ニュースや特別番組があった場合などにより、毎週の録画予約がされている番組の開始が予定の時刻と違っていても、変更に追随して録画することができる。
【００３７】
一方、ステップＳ１３において異なる曜日である場合は、異なる時間帯か否かに関わらずステップＳ１７へ進んで、一致する番組が見つかった週とそれ以降は、録画予約の曜日及び時間帯を一致する番組の曜日及び時間帯に変更する。
【００３８】
例えば、ＥＰＧの地上デジタル放送の２チャンネルの欄において、来週火曜日の２１：００−２２：００に「A vol.2」という番組名の番組が見つかった場合、ステップＳ１７において来週とそれ以降の録画予約を火曜日の２１：００−２２：００に変更する。これにより、番組編成の変更があった場合などにより、毎週の録画予約がされている番組の曜日又は曜日及び時間帯が予定と違っていても、変更に追随して録画することができる。
【００３９】
ステップＳ１２で一致する番組が見つからなかった場合、ステップＳ１５、ステップＳ１６、ステップＳ１７からはすべてステップＳ１８へ進む。ステップＳ１８においては、録画予約した番組の番組名が条件予約として登録されているか否かを判別する。録画予約の際に、ユーザにより条件予約の項目が選択されると、番組名を条件予約として登録（記憶）する。
【００４０】
ステップＳ１８において番組名が条件予約として登録されている場合は、ステップＳ１９へ進んでＥＰＧの中から、登録されている番組名に類似した番組名の番組を検索する。ここでは、録画予約されている放送波及びチャンネルに関わらず全ての放送波及びチャンネルについて検索する。
【００４１】
ステップＳ２０へ進んで、検索した結果、類似した番組が見つかったか否かを判別する。類似した番組が見つかった場合は、ステップＳ２１へ進んで、その見つかった番組を自動的に録画予約して、処理を終了する。
【００４２】
例えば、ＥＰＧの地上デジタル放送の２チャンネルの今週火曜日の１３：００−１４：００に「再 A vol.2」という番組名の番組が見つかった場合、ステップＳ２１において、自動的にその番組を録画予約する。これにより、毎週の録画予約がされている番組の再放送を自動的に録画することができるので、連続ドラマの途中回から録画予約された場合でも、再放送があれば録画することができる。
【００４３】
また例えば、ＥＰＧのＢＳデジタル放送の１チャンネルの来週月曜日の１８：００−１９：００に「新 A vol.3」という番組名の番組が見つかった場合、ステップＳ２１において、自動的にその番組を録画予約する。これにより、毎週の録画予約がされている番組の新シリーズ（続編）を自動的に録画することができる。これは１回限りの録画予約であるが、その番組名が見つかる度に自動的に録画予約するので、毎週連続で放送されれば、実質的に自動的に毎週録画予約することができる。
【００４４】
一方、ステップＳ１８において番組名が条件予約として登録されていない場合、又はステップＳ２０において類似した番組が見つからなかった場合は、処理を終了する。
【産業上の利用可能性】
【００４５】
本発明は、テレビ放送を受信して録画する放送録画装置に利用でき、例えば、ＨＤＤ録画再生装置、光ディスク録画再生装置、ＨＤＤ一体型光ディスク装置、ＨＤＤ一体型ＳＴＢ（セットトップボックス）、光ディスク一体型ＳＴＢに利用することができる。
【符号の説明】
【００４６】
１０  ＨＤＤ一体型光ディスク装置（放送録画装置）
【図１】
0005471405.tif 000002
【図２】
0005471405.tif 000003